(57)【要約】【課題】研磨ブラシの毛先が不揃いとなることを防止して金属リングに精度の高いブラシ研磨を施すことができる金属リングのブラシ研磨装置を提供する。【解決手段】研磨ブラシ２を備えるブラシ研磨装置に、研磨ブラシ２の毛先を整えるドレッシング部７，８を設ける。研磨ブラシ２は、テーブル４上に保持した金属リングＷの一方の端縁に当接しつつ所定方向に移動する。研磨ブラシ２の軌道上に位置するテーブル４上にドレッシング部７，８を設ける。【選択図】図３
2005021995.tif 000002
【特許請求の範囲】
【請求項１】
薄板筒状の金属リングをその一方の端縁を露出させて所定位置に保持するテーブルと、該テーブル上に保持された金属リングの一方の端縁に当接しつつ所定方向に移動する研磨ブラシとを備えて、研磨ブラシにより金属リングの一方の端縁を研磨する金属リングのブラシ研磨装置であって、
前記研磨ブラシの軌道上に位置する前記テーブル上に、該研磨ブラシの毛先を整えるドレッシング部を設けたことを特徴とする金属リングのブラシ研磨装置。
【請求項２】
前記テーブルは、前記金属リングをクランプし且つ該金属リングをその周方向に回転させるリング保持手段を備え、
前記ドレッシング部は該リング保持手段に設けられて該リング保持手段と一体に回転しつつ研磨ブラシに当接することを特徴とする請求項１記載の金属リングのブラシ研磨装置。
【発明の詳細な説明】
【０００１】
【発明の属する技術分野】
本発明は、薄板筒状の金属リングの端縁を研磨ブラシによって研磨する金属リングのブラシ研磨装置に関する。
【０００２】
【従来の技術】
例えば、無段変速機に採用される動力伝達用のベルトにおいては、環状に積層配列された複数のエレメントを複数の金属リングを積層してなる積層リングにより結束したものが用いられている。この種の積層リングを構成する金属リングは、円筒状の金属ドラムを薄板円板状の砥石により所定幅毎に輪切りにすることによって無端帯状に形成される。そして、円筒状のドラムから切断された金属リングは側端縁にバリが生じているため、そのバリを研磨することが必要となる。また、金属リングの側端縁でのバリ発生が少なくても、金属リングの側端縁を研磨して側端縁を高精度な湾曲形状に仕上げることが必要となる。
【０００３】
従来の金属リングの側端縁を研磨する方法としては、下記特許文献１に開示されている方法が知られている。この特許文献１に開示された金属リングの研磨方法はバレル研磨と呼ばれている方法であり、メディアと呼ばれる砥石で満たされたバレル内にワークである金属リングを混合し、金属リングをメディアと共にバレルを回転させる。このように、メディアと共に金属リングをバレル内で撹拌することによりメディアを金属リングの側端縁に接触させ、金属リングの側端縁を研磨するものである。
【０００４】
しかしながら、バレル研磨を行った場合、金属リングの内側よりも外周面側に多くのメディアが当接するため、金属リングの側端縁の内側角部と外側角部との研磨が不均一となる不都合があった。
【０００５】
そこで、金属リングを保持テーブル等に保持し、金属リングに研磨ブラシを当接して金属リングの端縁を研磨することが考えられる。こうすることにより、研磨ブラシを金属リングの側端縁の内側角部と外側角部とに均一に当接させることができ、金属リングの側端縁の研磨精度を向上させることができる。
【０００６】
しかし、この種の研磨ブラシは、例えば、研磨材入りのナイロン線材を束ねることによって形成されているが、長期にわたって金属リングの研磨に使用されると、研磨ブラシの毛先が不揃いとなる不都合がある。そして、毛先が不揃いとなった研磨ブラシを使用した場合には、金属リングに当接するブラシの毛数が均一とならず、研磨量にバラツキが生じるおそれがある。
【０００７】
そして、高い研磨精度を維持するためには、研磨装置から研磨ブラシを取り外してドレッシング作業を行なう、或いは新しい研磨ブラシと交換するといった保守を頻繁に行わなければならない不都合がある。
【０００８】
【特許文献１】
特開２００１−２４１５１２号公報（第４頁００３２）
【０００９】
【発明が解決しようとする課題】
かかる不都合を解消して、本発明は、研磨ブラシの毛先が不揃いとなることを防止して金属リングに精度の高いブラシ研磨を施すことができる金属リングのブラシ研磨装置を提供することを目的とする。
【００１０】
【課題を解決するための手段】
かかる目的を達成するために、本発明は、薄板筒状の金属リングをその一方の端縁を露出させて所定位置に保持するテーブルと、該テーブル上に保持された金属リングの一方の端縁に当接しつつ所定方向に移動する研磨ブラシとを備えて、研磨ブラシにより金属リングの一方の端縁を研磨する金属リングのブラシ研磨装置であって、前記研磨ブラシの軌道上に位置する前記テーブル上に、該研磨ブラシの毛先を整えるドレッシング部を設けたことを特徴とする。
【００１１】
本発明によって金属リングの端縁を研磨するときには、前記テーブルに金属リングを保持し、該金属リングに研磨ブラシを当接させる。このとき、金属リングはその一方の端縁が露出した状態で前記テーブルに支持されており、研磨ブラシは金属リングの一方の端縁に当接しつつ所定方向に移動する。これにより、金属リングの一方の端縁が研磨ブラシによって研磨される。更に、本発明においては、前記ドレッシング部を研磨ブラシの軌道上に位置する前記テーブル上に設けたことにより、金属リングの一方の端縁を研磨した研磨ブラシは、該金属リングが保持されたテーブル上のドレッシング部に当接する。これにより、該研磨ブラシは、金属リングの研磨を行なう一方で、前記ドレッシング部によって毛先が整えられる。このように、ドレッシング作業を行なうための研磨ブラシの取外しや交換を頻繁に行なうことなく、研磨作業を行ないながら研磨ブラシの毛先を整えることができる。
【００１２】
また、本発明において、前記テーブルは、前記金属リングをクランプし且つ該金属リングをその周方向に回転させるリング保持手段を備え、前記ドレッシング部は該リング保持手段に設けられて該リング保持手段と一体に回転しつつ研磨ブラシに当接することを特徴とする。
【００１３】
本発明によれば、前記ドレッシング部が回転しつつ研磨ブラシに当接するので、研磨ブラシとドレッシング部との摩擦が比較的大きく、研磨ブラシがリング保持手段上を通過する僅かな時間で効率よく研磨ブラシの毛先を均一に整えることができる。しかもこれによって、回転する該ドレッシング部が研磨ブラシの軌道を確実に横切って研磨ブラシに当接させることができ、該ドレッシング部を設置するためのスペースが小さくても、リング保持手段の一部に該ドレッシング部を設けておくだけで確実に研磨ブラシの毛先を均一に整えることができる。
【００１４】
【発明の実施の形態】
本発明の一実施形態を図面に基づいて説明する。図１は本実施形態おいて両端縁が研磨された金属リングを示す説明図、図２は本実施形態のブラシ研磨装置を模式的に示す説明的斜視図、図３は保持テーブル及び研磨ブラシの作動を模式的に示す説明図、図４は研磨ブラシによる金属リングの研磨状態を示す説明図である。
【００１５】
金属リングＷは、図１に示すように、薄板状の無端帯状に形成され、無段変速機の無端ベルトに用いられる。その断面形状は、図１の拡大図に示すように、両端縁が略円弧状に研磨される。
【００１６】
本実施形態におけるブラシ研磨装置１は、図２に示すように、複数の研磨ブラシ２が円周上に設けられた円柱状のブラシヘッド３と、６個の金属リングＷを保持するテーブル４とを備えている。研磨ブラシ２は、研磨材入りのナイロン線材が束ねられたものであり、粗さの異なる研磨剤を選択することにより粗加工から仕上げまでの加工を行うことができる。また、ブラシヘッド３は、図示しないモータにより回転される。
【００１７】
テーブル４には、金属リングＷを内側から保持するリング保持手段５が設けられている。該リング保持手段５は、図３に示すように６個の当接部材６により形成され、この６個の当接部材６を互いに接近させた状態でその周囲に金属リングＷを置き、６個の当接部材６を離間させることにより内周面から金属リングＷに当接して保持するものである。また、このリング保持手段５は図示しないモータによりブラシヘッド３と反対方向に回転駆動されるようになっている。
【００１８】
また、テーブル４には、図２及び図３に示すように、各リング保持手段５の間に第１のドレッシング部７が配設されている。第１のドレッシング部７は、研磨ブラシ２の軌道に沿って複数配設され、回転される研磨ブラシ２の先端に当接する砥石により形成されている。
【００１９】
更に、図３に示すように、各リング保持手段５の各当接部材６の上面には、第２のドレッシング部８が設けられている。第２のドレッシング部８は、各当接部材６の上面に砥石を接着することによって形成されている。リング保持手段５は回転するので、各当接部材６の上面に設けられている第２のドレッシング部８も回転する。これにより、図示するように、第２のドレッシング部８を各当接部材６の金属リングＷの内側近傍に細長く設けておいても、回転する第２のドレッシング部８が必ず研磨ブラシ２の軌道を横切って研磨ブラシ２に当接する。
【００２０】
研磨装置１によって金属リングＷの側端縁の研磨を行うときには、まず、図２及び３に示すように、６個の金属リングＷが各リング保持手段５に装着され、テーブル４上に保持される。次いで、各リング保持手段５が回転され、これによって各金属リングＷが回転する。そして、ブラシヘッド３を回転させると共に研磨ブラシ２を金属リングＷの一方の端縁に当接させる。これによって、図４に示すように、金属リングＷの端縁が研磨ブラシ２により研磨される。
【００２１】
このとき、回転される研磨ブラシ２は、図３及び図４に示すように、その軌道に設けられた第１のドレッシング部７に接し、研磨ブラシ２の毛先が不揃いとなっていた場合には第１のドレッシング部７によって削られて毛先が整えられる。
【００２２】
更に、回転される研磨ブラシ２は、図３及び図４に示すように、金属リングＷを保持して回転するリング保持手段５の各当接部材６に設けられた第２のドレッシング部８に接する。第２のドレッシング部８は、各当接部材６と一体に金属リングＷと共に回転することによって、研磨ブラシ２の軌道を横切って該研磨ブラシ２に当接する。このとき、研磨ブラシ２に対して第２のドレッシング部８が回転して当接するので、第２のドレッシング部８と研磨ブラシ２との摩擦が大であり、第２のドレッシング部８がリング保持手段５上を通過する僅かな時間内に効率良く確実に研磨ブラシ２の毛先を整えることができる。
【００２３】
このように、本実施形態によれば、研磨ブラシ２による金属リングＷの研磨を行ないながら、同時に研磨ブラシ２の毛先を整えるドレッシングが行なわれるので、研磨ブラシ２の取外してのドレッシング作業や交換等の保守作業を軽減することができるだけでなく、研磨ブラシ２の毛先が揃い、金属リングＷに均等に当接して研磨精度を向上させることができる。
【００２４】
なお、本実施形態においては、前記第１のドレッシング部７と前記第２のドレッシング部８とを設けた例を挙げたが、何れか一方のみを設けておけば十分に研磨ブラシ２の毛先を整えることができる。
【図面の簡単な説明】
【図１】本発明の実施形態おいて両端縁が研磨された金属リングを示す説明図。
【図２】本実施形態のブラシ研磨装置を模式的に示す説明的斜視図。
【図３】保持テーブル及び研磨ブラシの作動を模式的に示す説明図。
【図４】研磨ブラシによる金属リングの研磨状態を示す説明図。
【符号の説明】
Ｗ…金属リング、１…ブラシ研磨装置、２…研磨ブラシ、４…テーブル、５…リング保持手段、７，８…ドレッシング部。
【図１】
2005021995.tif 000003
【図２】
2005021995.tif 000004
【図３】
2005021995.tif 000005
【図４】
2005021995.tif 000006